(57)【特許請求の範囲】
【請求項１】
表示情報を取得可能な取得手段と、
前記取得手段が取得した表示情報を画面に表示する表示手段と、
前記表示手段に表示する前記表示情報の音声読み上げ情報を格納する格納手段と、
前記格納手段に格納されている音声読み上げ情報に対して読み上げを指示する指示手段と、
前記指示手段の指示に応答して前記音声読み上げ情報の読み上げを行う読み上げ手段と、
前記表示手段に表示している第１の表示情報と異なる第２の表示情報が前記取得手段により取得された場合に、前記格納手段に格納されている前記第１の表示情報の音声読み上げ情報を消去する消去手段と
を有し、
前記取得手段は、ネットワーク上から情報を取得するブラウザを含み、
前記消去手段は、前記第２の表示情報が前記取得手段により取得されたか否かを、現在のＵＲＬ（Ｕｎｉｆｏｒｍ  Ｒｅｓｏｕｒｃｅ  Ｌｏｃａｔｏｒ）を前回のＵＲＬと比較することにより判断する
電子機器。
【請求項２】
前記消去手段は、
前記ブラウザが終了した場合に前記格納手段に格納されている前記第１の表示情報の音声読み上げ情報を消去する
請求項１記載の電子機器。
【発明の詳細な説明】
【技術分野】
【０００１】
本発明は、表示中の項目を音声にて読み上げる機能を有する携帯電話等の電子機器に関するものである。
【背景技術】
【０００２】
近年、表示中の項目を音声にて読み上げる機能を有する携帯電話等の電子機器が提案されている（たとえば特許文献１〜４参照）。
【０００３】
ところで、電子機器として、仕様により、ブラウザ側に画面更新用のインタフェース（Ｉ／Ｆ）を用意してあるものと、用意してないものが存在する。
【０００４】
画面更新用のインタフェース（Ｉ／Ｆ）が用意してある読み上げる機能を有する電子機器においては、たとえば図６に示すように、読み上げキーの押下等の任意のタイミングで、その画面更新用のＩ／Ｆを通して、画面上に表示されている文字列等の読み上げ情報を取得することで、文字列等の読み上げを実現する。
【０００５】
図６においては、読み上げキーの押下等の読み上げ契機で、ブラウザ制御部からブラウザに対して画面更新要求が出される。
ブラウザからはブラウザ制御部に対して読み上げ情報が通知される。
そして、ブラウザ制御部は、ブラウザからの読み上げ情報の通知が終了すると、読み上げ処理部に対して読み上げ要求を出し、これにより読み上げ処理が行われる。
【０００６】
図６において、ブラウザ制御部は、外部より提供されたブラウザライブラリを制御する機能を有する。ブラウザは、外部より提供されたブラウザライブラリとなる。読み上げ処理部は、読み上げエンジンも含めた読み上げ機能全般の制御を行う処理部として機能する。
なお、読み上げ情報の通知としているが、ブラウザでの読み上げ専用の情報通知は行われないため、画面上への描画処理要求を読み上げ情報通知として利用している。
【特許文献１】特開平３−２９３３９８号公報
【特許文献２】特開平６−３３７６９１号公報
【特許文献３】特開平７−３１１５８８号公報
【特許文献４】特開２００４−１９８８３０号公報
【発明の開示】
【発明が解決しようとする課題】
【０００７】
ところが、画面更新用のインタフェース（Ｉ／Ｆ）が用意してない電子機器においては、図６における画面更新要求以降の処理を実現することができず、任意のタイミングでの読み上げができなくなるという不利益がある。
【０００８】
図７に、この電子機器に最新のブラウザを搭載した場合の動作イメージを示す。
この場合、画面１に「着うたコンテンツ着うたをダウンロードすることができます。・・・」と表示されており、この状態で読み上げキーを押下しても、この電子機器は、ブラウザに画面更新用のインターフェースがなく、文字列等の読み上げ情報を取得できず、画面に表示されている読み上げ情報「着うたコンテンツ着うたをダウンロードすることができます。・・・」の文字列を読み上げることができない。
【０００９】
本発明は、任意のタイミングでの音声読み上げを実現できる電子機器を提供することにある。
【課題を解決するための手段】
【００１０】
本発明の第１の観点の電子機器は、表示情報を取得可能な取得手段と、前記取得手段が取得した表示情報を画面に表示する表示手段と、前記表示手段に表示する前記表示情報の音声読み上げ情報を格納する格納手段と、前記格納手段に格納されている音声読み上げ情報に対して読み上げを指示する指示手段と、前記指示手段の指示に応答して前記音声読み上げ情報の読み上げを行う読み上げ手段と、前記表示手段に表示している第１の表示情報と異なる第２の表示情報が前記取得手段により取得された場合に、前記格納手段に格納されている前記第１の表示情報の音声読み上げ情報を消去する消去手段とを有し、前記取得手段は、ネットワーク上から情報を取得するブラウザを含み、前記消去手段は、前記第２の表示情報が前記取得手段により取得されたか否かを、現在のＵＲＬ（Ｕｎｉｆｏｒｍ  Ｒｅｓｏｕｒｃｅ  Ｌｏｃａｔｏｒ）を前回のＵＲＬと比較することにより判断する。
【００１３】
好適には、前記消去手段は、前記ブラウザが終了した場合に前記格納手段に格納されている前記第１の表示情報の音声読み上げ情報を消去する。
【発明の効果】
【００１４】
本発明によれば、任意のタイミングでの音声読み上げを実現することができる。
【発明を実施するための最良の形態】
【００１５】
以下、本発明の実施形態を添付図面に関連付けて説明する。
【００１６】
図１は、本発明の電子機器としての携帯電話機１０のシステム構成の一例を示すブロック図である。図２は、携帯電話機１０の外観の一例を示す図である。
携帯電話機１０は、可動機構を有する、いわゆる折り畳み式携帯電話機であって、図２（ａ）は開かれた状態（開状態）での正面図を、（ｂ）は閉じられた状態（閉状態）での正面図を、（ｃ）は開状態での側面図を、（ｄ）は閉状態での側面図を、それぞれ示している。
【００１７】
本実施形態に係る携帯電話機１０は、ネットワーク２０に接続されるサーバ３０から取得したＷｅｂ情報（取得情報）を表示部に表示可能に構成されている。
また、本実施形態に係る携帯電話機１０は、通常の携帯電話機の機能に加えて、音声読み上げ機能を有し、たとえばブラウザから描画要求として通知される文字列を読み上げの文字列情報として扱う。また、本実施形態の携帯電話機１０は、ブラウザに手を加えていないため、通常のブラウザと同等の表示が可能となる。
【００１８】
本実施形態の携帯電話機１０は、取得したＷｅｂ情報に基づいて、表示すべき表示オブジェクト（表示情報）と、表示オブジェクトを提供するサーバ３０上で運営されているコンテンツにて規定されるスタイル等の表示規定（読み出し情報）を抽出し、表示オブジェクトと表示規定を対応付けてメモリに格納しておき、抽出したスタイル等の表示規定に準じて表示オブジェクトを表示する。なお、表示規定には、表示座標（Ｘ，Ｙ）、表示形式（スタイル）、あるいは表示サイズを含んでいる。
そして、携帯電話機１０は、取得したＷｅｂ情報の表示状態において、読み上げのために音声読み上げ機能（音声処理部）の起動が要求されると、メモリに格納されるスタイル（表示規定）を参照して表示オブジェクトから抽出される文字列を音声処理部により音声に変換する機能を有する。
【００１９】
さらに、本実施形態に係る携帯電話機１０は、画面更新用のインタフェース（Ｉ／Ｆ）を用意してないが、画面更新用のインタフェース（Ｉ／Ｆ）を備えていなくとも、任意のタイミングでの音声読み上げを実現することができるように、以下の処理機能を備えて構成されている。
【００２０】
すなわち、携帯電話機１０は、現在表示されている１画面分の読み上げ情報を保持、管理する機能を有し、この１画面分の読み上げ情報を保持、管理することで画面上に表示されている情報の読み上げを可能としている。
【００２１】
携帯電話機１０は、たとえばサーバ３０からの第１の表示情報（第１の表オブジェクト）を取得すると第１の表示情報を表示部の画面に表示し、第１の表示情報を音声読み上げ情報として、たとえばブラウザ制御に対応したメモリ（格納手段）に格納する機能を有する。
そして、携帯電話機１０においては、指示手段としての読み上げキーの操作により、メモリに格納されている音声読み上げ情報に基づく読み上げを指示する機能と、読み上げキーの操作による指示に応答して、音声読み上げ情報の読み上げを行う読み上げ機能を有し、さらに、たとえば第１の表示情報と異なる第２の表示情報（第２の表示オブジェクト）が取得された場合に、メモリに格納されている第１の表示情報の音声読み上げ情報を消去し、第２の表示情報を音声読み上げ情報としてメモリに格納する消去および格納機能を有している。
【００２２】
また、携帯電話機は、第２の表示情報が取得されたか否かを、ブラウザに入力されたＵＲＬ（Ｕｎｉｆｏｒｍ  Ｒｅｓｏｕｒｃｅ  Ｌｏｃａｔｏｒ）が変更されたか否かにより判断する機能を有する。
【００２３】
また、消去および格納機能は、ブラウザが終了した場合にメモリに格納されている第１の表示情報の音声読み上げ情報を消去する。
【００２４】
以下、本実施形態に係る電子機器としての携帯電話機１０の各部の構成、機能、並びに、音声読み上げ制御について順を追って説明する。
【００２５】
図１に示すように、携帯電話機１０は、送受信アンテナ１１１を含む通信処理部１１と、メモリ１２と、キー操作部１３と、ダイヤル入力部１４と、サブ表示部１５と、メイン表示部１６と、スピーカ１７１およびマイクロフォン１７２を含む音声処理部１７と、読み上げキー操作部１８と、制御部（ＣＰＵ）１９とを有している。
また、図２（ａ）に示すように、携帯電話機１０の本体ケース１００は、第１の筐体としてのキー入力側本体ケース１０１と、第２の筐体としての表示側本体ケース１０２とが、図示しない可動機構により連結されて、開閉状態を形成するように構成される。
【００２６】
通信処理部１１は、基地局を介した無線通信動作、たとえば、電話番号の発呼動作や電子メールの送受信動作などを行う。
通信処理部１１は、送受信アンテナ１１１を含んで構成され、電波を利用した無線通信で行うために、制御部１９で処理された音声情報、電子メール等を変調して送受信アンテナ１１１により図示しない基地局、ネットワーク２０を介してサーバ３０に送信する。
また、通信処理部１１は、基地局から無線により送信され、送受信アンテナ１１１で受信した電子メールや音声情報等の各種情報を復調して制御部１９に出力する。
通信処理部１１は、ネットワーク２０に接続されるサーバ３０から取得したＷｅｂ情報（取得情報）を制御部１９に出力する。
なお、本実施形態においては、送受信アンテナ１１１は、キー入力側本体ケース１０１または表示側本体ケース１０２に内蔵され、図２において外部に露出されていない。
【００２７】
メモリ（記憶部）１２は、ＥＥＰＲＯＭ等の不揮発性メモリを含んで構成され、通話やメールの送受信のための制御プログラム、インターネットブラウザ、メッセージデータ、名前および電話番号が登録されたアドレス帳などを記憶する。
メモリ１２は、読み上げ機能に必要なテキスト列を含む音声読み上げデータベースを記憶する。このデータベースでは、読み上げのためのテキスト列について、前後の接続関係が文章として成立するように、体系的に整理されている。
メモリ１２は、音声読み上げ機能の制御テーブル、重み付けテーブルを記憶する。
メモリ１２は、表示部が表示するメニューの項目毎に、「標準テキスト」、「短縮テキスト」および「説明テキスト」を記憶する。
メモリ１２には、制御部１９においてＷｅｂ情報により抽出される表示オブジェクト（表示情報）と、表示オブジェクトを提供するサーバにて規定される表示規定（読み上げ情報）とが対応付けられた形態で格納される。
また、メモリ１２には、制御部１９により複数の表示形式それぞれについて表示座標に対する補正値が格納される。
また、メモリ１２には、制御部１９により複数の表示サイズそれぞれについて表示座標に対する補正値が格納される。
【００２８】
図３は、メモリに格納される表示規定（読み上げ情報）の管理テーブルの一例を示す図である。
【００２９】
図３の例における表示規定（読み上げ情報）は、「文字描画Ｘ座標」、「文字描画Ｙ座標」、「文字の高さ（レベル、文字サイズ）」、「描画文字種別」、「読み上げ状態（既読か未読か）」、「描画文字ポインタ」、「文字列長」を含んで形成されている。
この管理テーブルの情報は、ブラウザからの読み上げ情報通知ごとにメモリ１２に格納される。
この情報は、音声読み上げ時に、制御部１９により読み出される。
【００３０】
キー操作部１３は、終了（終話）／電源キー、開始（発呼）キー、数字等に対応した複数のテンキー等を有し、これらのキーがユーザにより操作されることにより、ユーザからの入力情報を制御部１９に出力する。
また、キー操作部１３の操作により、メモリ１２に記憶される音声読み上げ機能の制御テーブルの各項目の読み上げするか否か（ＯＮ／ＯＦＦ）を、制御部１９を通して設定可能である。
【００３１】
ダイヤル入力部１４は、図２（ｃ）に示すように、ユーザが開状態の携帯電話機１０を保持した時にユーザの親指により操作がしやすくなるように、表示側本体ケース１０２の側面に配設されるダイヤル式の入力部であり、上下２方向の操作が可能に構成される。
ダイヤル入力部１４に対する操作により、ユーザは、音声の出力音量やサブ表示部１５およびメイン表示部１６に表示する文字サイズを変更することが可能となる。
また、図２（ｃ）および（ｄ）から明らかなように、閉状態と開状態のダイヤル入力部１４を比較すると、上下２方向の操作方向が物理的に逆転することになるが、本実施形態においては、ユーザにとって違和感が生じないように、ユーザから見た操作方向と操作に対する作用（たとえば、上述した音量変更や表示フォントサイズ（表示する文字サイズ）の変更）が常に一致するように、制御部１９により制御される。
【００３２】
サブ表示部１５は、液晶表示装置（ＬＣＤ）等の表示デバイスを有し、図２（ｂ）に示すように、閉状態においてユーザに視認される。
メイン表示部１６は、液晶表示装置（ＬＣＤ）等の表示デバイスを有し、図２（ａ）に示すように、開状態においてユーザに視認される。
サブ表示部１５およびメイン表示部１６は、それぞれ閉状態および開状態において、制御部１９の制御の下、受信した電子メールのテキストやメモリ１２に格納された様々なテキストデータを表示する。
また、本発明の表示手段としてのメイン表示部１６は、開状態において、制御部１９の制御の下、取得したＷｅｂ情報をメモリ１２に格納された表示規定（表示座標、表示形式、または／および表示サイズ）に従った形態で表示する。
【００３３】
音声処理部１７は、音声処理回路を有し、通話機能のために音声出力を行うスピーカ１７１と音声入力を行うマイクロフォン１７２とが接続されている。
音声処理部１７は、マイクロフォン１７２により収音した音声に対して所定の処理を行って制御部１９に供給する。また、音声処理部１７は、制御部１９により供給された音声情報に対して所定の処理を行ってスピーカ１７１から出力させる。
また、図２（ａ），（ｂ）に示すように、スピーカ１７１は、受話スピーカ１７１ａおよびリンガスピーカ１７１ｂの２箇所の音声出力部を含み、読み上げ機能の処理結果である音声を出力する。
さらに、音声処理部１７は、音声合成回路を有し、読み上げを行う際に、制御部１９においてメモリ１２から読み出され抽出されたテキストデータを音声データに変換して音声合成し、音声出力部である受話スピーカ１７１ａまたはリンガスピーカ１７１ｂにより音声出力させる。
【００３４】
読み上げキー操作部１８は、図２（ｂ）に示すように、表示側本体ケース１０２の中央に配設される押下式ボタン１８ａと、このボタンによるスイッチ入力に対する入力回路と、を含んで構成される。
前述したように本実施形態における携帯電話機１０は、読み上げ機能を有し、押下式ボタン１８ａが押下（操作）されると、たとえば閉状態にリンガスピーカ１７１ｂにより音声出力し、開状態では受話スピーカ１７１ａより音声出力するように制御部１９により制御される。
【００３５】
制御部１９は、マイクロコンピュータを主体として構成され、携帯電話機１０の全体の制御を行う。たとえば、制御部１９は、通信処理部１１における各種情報の無線による送受信の制御、音声処理部１７に対する音声情報の処理、メイン表示部１６への情報の表示制御、キー操作部１３の入力情報に応じた処理、メモリ１２に対するアクセス制御等を行う。
【００３６】
制御部１９は、基本的にユーザによる押下式ボタン１８ａの操作がなされると、表示されるテキストの読み上げ機能を実行する。従って、押下式ボタン１８ａは、本発明の指示手段として機能する。その際、読み上げ機能として、読み上げ用の音声データを出力する方式ではなく、テキスト列を抽出／生成してそのテキストを読み上げるテキスト読み上げ方式を用いている。
制御部１９は、読み上げ要求を受けて音声読み上げ処理を行う、本発明の読み上げ手段としての読み上げ処理部１９１、ブラウザ制御部１９２、およびブラウザ１９３を含む。
【００３７】
制御部１９は、ブラウザを起動し、取得したＷｅｂ情報から表示オブジェクトと、この表示オブジェクトを提供するサーバ３０上のコンテンツごとに規定される表示規定を抽出し、表示オブジェクトと表示規定とを対応付けてメモリ１２に格納する。従って、制御部１９は、ブラウザと共に、本発明の取得手段として機能する。
制御部１９は、ブラウザを用いて抽出した表示規定に準じて表示オブジェクトをメイン表示部１６に表示させる。
制御部１９は、取得したＷｅｂ情報をメイン表示部１６に表示している表示状態において、たとえば読み上げキー操作部１８の操作により音声処理部１７の起動が要求されると、メモリ１２に格納される表示規定を参照して表示オブジェクトから抽出される文字列を音声処理部１７により音声に変換させる。
【００３８】
また、制御部１９は、取得したＷｅｂ情報をメイン表示部１６に表示している表示状態において、たとえば読み上げキー操作部１８の操作により音声処理部１７の起動が要求されると、メモリ１２に格納される表示オブジェクトをそれぞれの表示座標についてソートした上で音声処理部１７に音声への変換を行わせる。
制御部１９は、取得した読み上げ情報について、画面左上に表示されている文字から読み上げるように、メモリ１２に保持されている管理テーブル上の文字描画座標（Ｘ，Ｙ）をもとに、読み上げすべき情報のソートを行う。
【００３９】
すなわち、制御部１９は、現在表示されている１画面分の読み上げ情報をメモリ１２に保持（バッファリング）し、管理することで画面上に表示されている情報の読み上げを可能としている。
制御部１９は、１画面部の第１の表示情報（第１の表示オブジェクト）を取得すると第１の表示情報を表示部の画面に表示し、第１の表示情報を音声読み上げ情報として、たとえばブラウザ制御に対応したメモリ１２に格納する。従って、メモリ１２は、本発明の格納手段として機能する。
制御部１９は、読み上げキー操作部１８の操作により、任意のタイミングで読み上げが指示されるとメモリに格納されている音声読み上げ情報の読み上げを行う。
【００４０】
また、制御部１９は、第１の情報と異なる第２の表示情報（第２の表示オブジェクト）が取得された場合に、メモリに格納されている第１の表示情報の音声読み上げ情報を消去し、第２の表示情報を音声読み上げ情報としてメモリに格納する。
この場合、制御部１９は、第２の表示情報が取得されたか否かを、ブラウザに入力されたＵＲＬが変更されたか否かにより判断する。
制御部１９は、基本的に、前回のＵＲＬと現在のＵＲＬとの間で全体を比較し、１箇所でも異なる部分があれば今表示しているコンテンツ（第１の表示情報）から別コンテンツ（第２の表示情報）に遷移したものと判断する。
【００４１】
また、制御部１９は、ブラウザが終了した場合にメモリ１２に格納されている第１の表示情報の音声読み上げ情報を消去する。
なお、本実施形態において、読み上げ情報の保持（有効）期限は、ブラウザ起動から終了時までである。ただし、第１の表示情報から第２の表示情報に遷移した場合、すなわち別コンテンツに遷移した場合には、保持していた読み上げ情報を消去する。従って、制御部１９は、本発明の消却手段として機能する。
【００４２】
また、制御部１９は、メモリ１２に複数の表示形式それぞれについて表示座標に対する補正値を格納する。そして、制御部１９は、表示オブジェクトのソートは、表示オブジェクトごとの表示形式に応じてメモリ１２に格納した補正値にて補正した上で行う。
【００４３】
また、制御部１９は、メモリ１２に、複数の表示サイズそれぞれについて表示座標に対する補正値を格納する。そして、制御部１９は、表示オブジェクトのソートは、表示オブジェクトごとの表示サイズに応じて前記補正値にて補正した上で行う。
【００４４】
次に、上記構成による音声読み上げ動作を説明する。
【００４５】
図４は、ブラウザ起動時の情報の表示および音声読み上げ動作を説明するためのシーケンス図である。
図４において、ブラウザ制御部１９２、ブラウザ１９３、読み上げ処理部１９１の相互間の処理を示しているが、図１の構成では概ね制御部１９内で処理される。
ブラウザ制御部１９２は、外部より提供されたブラウザライブラリを制御する機能を有する。ブラウザ１９３は、外部より提供されたブラウザライブラリとなる。読み上げ処理部１９１は、読み上げエンジンも含めた読み上げ機能全般の制御を行う処理部として機能する。
なお、読み上げ情報の通知としているが、ブラウザでの読み上げ専用の情報通知は行われない。
【００４６】
ブラウザ制御部１９２に対して任意コンテンツへの接続要求がなされると（ＳＴ１）、ブラウザ制御部１９２からブラウザ１９３に対して任意コンテンツへの接続要求が転送される（ＳＴ２）。
ブラウザ１９３においては、コンテンツ（表示情報）の取得処理が行われる（ＳＴ３）。
そして、ブラウザ１９３からブラウザ制御部１９２に対して読み上げ情報の通知が開始され（ＳＴ４）、必要な読み上げ情報の通知が完了するまで、この通知は行われる（ＳＴ５）。
【００４７】
ブラウザ１９３からの読み上げ情報の通知が終了すると、ブラウザ制御部１９２に読み上げ情報のメモリ１２への保持処理が行われる（ＳＴ６）。
この読み上げ情報の保持（保存）処理は、任意コンテンツに接続した際に、ブラウザ１９３から通知される読み上げ情報をブラウザ制御部１９２内のＲＡＭ領域（本実施形態においてはメモリ１２）に保持する。
なお、ブラウザでの読み上げ専用の情報通知は行われないため、画面上への描画処理要求を読み上げ情報通知として利用している。
読み上げ情報は、通知されるたびに、管理テーブルとしてメモリ１２に保持される。
【００４８】
ここで、任意のタイミングで、たとえば読み上げキー操作部１８における押下式ボタン１８ａが押下されると（ＳＴ７）、ブラウザ制御部１９２は、メモリ１２に格納されている読み上げ情報の読み出し処理が行われる（ＳＴ８）。
ブラウザ制御部１９２においは、取得した読み上げ情報について、画面左上に表示されている文字から読み上げるように、管理テーブル上の文字描画座標をもとに、読み出し情報のソートが行われる。
【００４９】
次に、ブラウザ制御部１９２から読み上げ処理部１９１に対して読み上げ要求が行われる（ＳＴ９）。
この読み上げ要求は、読み出し情報読み出し処理で取得したソート済みの読み上げ情報を、読み上げ処理部１９１に通知することで行われる。
そして、読み上げ処理部１９１により読み上げ処理が行われる（ＳＴ１０）。
なお、読み上げ情報の保持（有効）期限は、ブラウザ起動から終了時までであり、表示情報が別コンテンツに遷移した場合には、保持していた読み上げ情報が消去される。
【００５０】
以上説明したように、本実施形態によれば、メモリ１２と、文字列を音声に変換する音声処理部１７と、通信処理部１１によりネットワーク２０に接続されるサーバ３０から取得したＷｅｂ情報から表示オブジェクト（表示情報）を取得し、表示オブジェクトと表示規定（読み出し情報）を対応付けてメモリ１２に格納し、表示規定に準じて表示部１６に表示させる制御部１９と、を有する。
そして、本実施形態において制御部１９は、１画面部の第１の表示情報（第１の表オブジェクト）を取得すると第１の表示情報を表示部の画面に表示し、第１の表示情報を音声読み上げ情報として、メモリ１２に格納し、読み上げキー操作部１８の操作により、任意のタイミングで読み上げが指示されるとメモリに格納されている音声読み上げ情報の読み上げを行い、第１の情報と異なる第２の表示情報（第２の表示オブジェクト）が取得された場合に、メモリに格納されている第１の表示情報の音声読み上げ情報を消去し、第２の表示情報を音声読み上げ情報としてメモリに格納し、第２の表示情報が取得されたか否かを、ブラウザに入力されたＵＲＬが変更されたか否かにより判断するように構成したことから、以下の効果を得ることができる。
【００５１】
画面更新用のインタフェース（Ｉ／Ｆ）を備えていなくとも、任意のタイミングでの音声読み上げを実現することができる。
すなわち、図５に示すように、表示画面に「着うたコンテンツ着うたをダウンロードすることができます。・・・」と表示されており、この状態で読み上げキーを押下した場合、画面に表示されている読み上げ情報「着うたコンテンツ着うたをダウンロードすることができます。・・・」の文字列を読み上げることが可能となる。
【００５２】
なお、以上説明したような音声読み上げ処理は、端末装置（コンピュータ）で読み出し可能な記録媒体、半導体記憶装置（メモリ）、光ディスク、ハードディスク等に音声読み上げプログラムとして記録され、端末装置で読み出されて実行される。
【図面の簡単な説明】
【００５３】
【図１】本実施形態に係る電子機器としての携帯電話機のシステム構成の一例を図解したブロック図である。
【図２】携帯電話機の外観の一例を図解した図であり、（ａ）は開状態での正面の外観図を、（ｂ）は閉状態での正面の外観図を、（ｃ）は開状態での側面の外観図を、（ｄ）は閉状態での側面の外観図を、それぞれ示す。
【図３】メモリに格納される表示規定（読み上げ情報）の管理テーブルの一例を示す図である。
【図４】本実施形態に係るラウザ起動時の情報の表示および音声読み上げ動作を説明するためのフローチャートである。
【図５】実施形態の効果を説明するための図である。
【図６】画面更新用のインタフェース（Ｉ／Ｆ）が用意してある読み上げる機能を有する電子機器の処理を説明するための図である。
【図７】画面更新用のインタフェース（Ｉ／Ｆ）が用意してない読み上げる機能を有する電子機器の課題を説明するための図である。
【符号の説明】
【００５４】
１０・・・携帯電話機、１００・・・本体ケース、１０１・・・キー入力側本体ケース、１０２・・・表示側本体ケース、１１・・・通信処理部、１１１・・・送受信アンテナ、１２・・・メモリ、１３・・・キー操作部、１４・・・ダイヤル入力部、１５・・・サブ表示部、１６・・・メイン表示部、１７・・・音声処理部、１７１・・・スピーカ、１７２・・・マイクロフォン、１８・・・読み上げキー操作部、１９・・・制御部、１９１・・・読み上げ処理部、１９２・・・ブラウザ制御部、１９３・・・ブラウザ。
【図１】
0005062670.tif 000002
【図２】
0005062670.tif 000003
【図３】
0005062670.tif 000004
【図４】
0005062670.tif 000005
【図５】
0005062670.tif 000006
【図６】
0005062670.tif 000007
【図７】
0005062670.tif 000008